(57)【要約】【課題】複数のデータ放送をカルーセル方式で時分割多重化して送信する場合に、各データ放送のカルーセルデータのデータサイズに応じて各データ放送の受信待ち時間を適正化する。【解決手段】本発明のデジタル放送送信装置は、複数（例えば２つ）のデータ放送をカルーセル方式で時分割多重化して送信するものである。デジタル放送送信装置は、各データ放送のカルーセルデータのデータサイズ１，２を求める（ステップＳ３２）とともにカルーセル周期を求める（ステップＳ３３）。そして、求められたカルーセルデータのデータサイズ１，２とカルーセル周期を用いて、データサイズ１，２の比に応じてデータサイズが小さいカルーセルデータの送信周期を短くし、データサイズが大きいカルーセルデータに割り込ませるように送信スケジュールを作成する（ステップＳ３４）ことを特徴としている。【選択図】図４
2011010097.tif 000002
【特許請求の範囲】
【請求項１】
複数のデータ放送をカルーセル方式で時分割多重化して送信するデジタル放送送信装置であって、
前記各データ放送のカルーセルデータのデータサイズを求め、求められた各カルーセルデータのデータサイズの比に応じて最もデータサイズが大きいカルーセルデータ以外のカルーセルデータの送信周期を短くし、前記最もデータサイズが大きいカルーセルデータに割り込ませることを特徴とするデジタル放送送信装置。
【請求項２】
請求項１のデジタル放送送信装置において、２つのデータ放送をカルーセル方式で時分割多重化して送信する場合、前記２つのデータ放送のカルーセルデータのデータサイズを求め、求められた各カルーセルデータのデータサイズの比に応じてデータサイズが小さいカルーセルデータの送信周期を短くし、データサイズが大きいカルーセルデータに割り込ませるデジタル放送送信装置。
【請求項３】
請求項１のデジタル放送送信装置において、前記各データ放送にあらかじめ設定された緊急フラグの状態に応じて、前記各データ放送のカルーセルデータの送信周期を修正するデジタル放送送信装置。
【請求項４】
請求項３のデジタル放送送信装置において、前記緊急フラグがオンであるデータ放送のカルーセルデータの送信周期は変更せずに、前記緊急フラグがオフであるデータ放送のカルーセルデータの送信周期を長くするデジタル放送送信装置。
【請求項５】
請求項１のデジタル放送送信装置において、前記各データ放送にあらかじめ設定された優先度に応じて、前記各データ放送のカルーセルデータの送信周期を修正するデジタル放送送信装置。
【請求項６】
請求項５のデジタル放送送信装置において、前記優先度の高いデータ放送のカルーセルデータの送信周期は変更せずに、前記優先度の低いデータ放送のカルーセルデータの送信周期を長くするデジタル放送送信装置。
【請求項７】
複数の入力音声をエンコードしてＴＳ形式に変換する音声エンコーダと、複数の入力映像をエンコードしてＴＳ形式に変換する映像エンコーダと、複数の入力データ放送をＤＳＭＣＣセクションＴＳ形式に変換するデータＴＳコンバータと、前記音声エンコーダ、前記映像エンコーダ及びデータＴＳコンバータから出力されるＴＳを多重化しＭＰＥＧ２ＴＳ形式で出力する多重化部と、該多重化部から出力されるＭＰＥＧ２ＴＳにＰＳＩ／ＳＩ情報を多重化してＩＳＤＢ−Ｔ／ＴＳ形式に変換する再多重化部と、該再多重化部から出力されるＩＳＤＢ−Ｔ／ＴＳをＴＳボードから出力するＴＳ出力部と、該ＴＳ出力部から出力されるＩＳＤＢ−Ｔ／ＴＳをＯＦＤＭ変調し送信するＯＦＤＭ変調部と、前記ＴＳ出力部と前記ＯＦＤＭ変調部の同期を取る同期クロックとを備えてなるデジタル放送送信装置において、
前記データＴＳコンバータは、前記入力される各データ放送のカルーセルデータのデータサイズを求め、求められた各カルーセルデータのデータサイズの比に応じて最もデータサイズが大きいカルーセルデータ以外のカルーセルデータの送信周期を短くし、前記最もデータサイズが大きいカルーセルデータに割り込ませて時分割多重化することを特徴とするデジタル放送送信装置。
【請求項８】
請求項７のデジタル放送送信装置において、前記データＴＳコンバータは、２つの入力データ放送をＤＳＭＣＣセクションＴＳ形式に変換する場合、前記入力される２つのデータ放送のカルーセルデータのデータサイズを求め、求められた各カルーセルデータのデータサイズの比に応じてデータサイズが小さいカルーセルデータの送信周期を短くして、データサイズが大きいカルーセルデータに割り込ませて時分割多重化するデジタル放送送信装置。
【請求項９】
請求項７又は８のデジタル放送送信装置において、前記データＴＳコンバータは、前記入力される各データ放送をＤＩＩ・ＤＤＢ形式に変換するＤＩＩ・ＤＤＢ作成部と、前記ＤＩＩメッセージに記述された情報に基づいて各データ放送のカルーセルデータのデータサイズを計算するカルーセルデータサイズ計算部と、前記ＤＩＩメッセージに記述された情報に基づいてカルーセル周期を計算するカルーセル周期計算部と、前記カルーセルデータサイズ計算部及び前記カルーセル周期計算部で求められた各カルーセルデータのデータサイズとカルーセル周期に基づいて各データ放送のカルーセルデータの送信周期を変更して送信スケジュールを作成する送信スケジュール作成部と、前記カルーセル周期を変更した送信スケジュールに基づいて前記各データ放送のＤＩＩメッセージ及びＤＤＢメッセージを多重化するＤＩＩ・ＤＤＢ多重化部とを備えてなるデジタル放送送信装置。
【発明の詳細な説明】
【技術分野】
【０００１】
本発明は、デジタル放送送信装置に係り、特に複数のデータ放送をカルーセル方式で時分割多重化して送信するデジタル放送送信装置に関するものである。
【背景技術】
【０００２】
２００３年より我が国ではデジタル放送が開始されており、デジタル放送の送信を効率的に行うため、種々の技術が開示されている。例えば特許文献１には、テレビジョン放送のダミーパケット（変動抑制）をデータ放送に置き換えることにより、データ放送信号をテレビジョン放送信号に効率よく多重する技術が開示されている。
【０００３】
また、特許文献２には、データ放送に設定された優先順位に応じてデータ放送のセクションを選択して伝送することにより、ビットレートに変動のあるテレビジョン放送に効率よく放送データを多重する技術が開示されている。
【先行技術文献】
【特許文献】
【０００４】
【特許文献１】特開２００３−１０１９７１号公報
【特許文献２】特開２００３−６９９６４号公報
【発明の概要】
【発明が解決しようとする課題】
【０００５】
ところで、デジタル放送の普及にともない、デジタル放送を移動体で気軽に楽しめるいわゆるワンセグ端末が普及し、地域密着型のエリア型放送といった新しい放送サービスが出てきている。これは、デジタル放送の空いている周波数帯、或いは２０１１年に終了する予定であるアナログ放送の周波数帯を利用して、地域限定のストリーム又は広告といった情報をプッシュ型で利用者に提供するサービスである。
【０００６】
このエリア型放送などのように周波数帯を効率的に利用して多様なサービスを提供するために、あるチャネル(周波数帯)に複数のサービス(番組)を多重して放送する技術が望まれている。
【０００７】
この点、特許文献１，２に記載された技術は、カルーセル方式のデータ放送をストリーム型のテレビジョン放送に多重する事を前提としているため、あるチャネル(周波数帯)に複数のサービス(番組)を多重して放送することについては考慮されていない。
【０００８】
カルーセル方式の伝送は、同じカルーセルデータを繰り返し伝送することにより受信端末が欠損したデータを再び受信することを可能とするものであるが、複数のデータ放送のカルーセルデータを多重化する場合、周波数分割多重方式と時分割多重方式が考えられる。この点、時分割多重方式のほうが、帯域を広く利用しデータをまとめて送信できるため、受信端末でデータを表示するまでの待ち時間が少なくなることが知られている。
【０００９】
しかしながら、時分割多重方式では、複数のデータ放送のカルーセルデータのデータサイズが極端に偏っていると、データサイズが小さなカルーセルデータに係るデータ放送がユーザの受信端末に表示されるまでの待ち時間が、データサイズが小さいにも関わらず長くなるおそれがある。つまり、データサイズが小さいカルーセルデータに係るデータ放送を受信したいユーザにとっては、データサイズが大きいカルーセルデータを受信している間はデータサイズが小さいカルーセルデータを受信することができないために受信待ち時間が長くなり好ましくない。
【００１０】
そこで本発明は、複数のデータ放送をカルーセル方式で時分割多重化して送信する場合に、各データ放送のカルーセルデータのデータサイズに応じて各データ放送の受信待ち時間を適正化することを課題とする。
【課題を解決するための手段】
【００１１】
本発明のデジタル放送送信装置は、複数のデータ放送をカルーセル方式で時分割多重化して送信するものであって、各データ放送のカルーセルデータのデータサイズを求め、求められた各カルーセルデータのデータサイズの比に応じて最もデータサイズが大きいカルーセルデータ以外のカルーセルデータの送信周期を短くし、最もデータサイズが大きいカルーセルデータに割り込ませることを特徴としている。
【００１２】
より具体的には、２つのデータ放送をカルーセル方式で時分割多重化して送信する場合であれば、２つのデータ放送のカルーセルデータのデータサイズを求め、求められた各カルーセルデータのデータサイズの比に応じてデータサイズが小さいカルーセルデータの送信周期を短くし、データサイズが大きいカルーセルデータに割り込ませる。
【００１３】
これによれば、カルーセルデータのデータサイズに偏りがある場合には、カルーセルデータのデータサイズの比（データサイズの偏り）に応じてデータサイズが小さいほうのカルーセルデータの送信周期を短くしてデータサイズが大きいカルーセルデータに割り込ませる。その結果、データサイズが小さいカルーセルデータの受信待ち受け時間が短縮されるので、データサイズの偏りに応じて各データ放送の受信待ち受け時間を適正化することができる。
【００１４】
また、各データ放送にあらかじめ設定された緊急フラグの状態に応じて、各データ放送のカルーセルデータの送信周期を修正することができる。例えば緊急フラグがオンであるデータ放送のカルーセルデータの送信周期は変更せずに、緊急フラグがオフであるデータ放送のカルーセルデータの送信周期を長くすることができる。これによれば、カルーセルデータのデータサイズに応じて受信待ち時間を適正化することと、緊急度の高い情報をすばやくユーザに提供することの両立を図ることができる。
【００１５】
また、各データ放送にあらかじめ設定された優先度に応じて、各データ放送のカルーセルデータの送信周期を修正することができる。例えば、優先度の高いデータ放送のカルーセルデータの送信周期は変更せずに、優先度の低いデータ放送のカルーセルデータの送信周期を長くすることができる。これによれば、カルーセルデータのデータサイズに応じて受信待ち時間を適正化することと、優先度の高い情報をすばやくユーザに提供することの両立を図ることができる。
【００１６】
より具体的に、本発明のデジタル放送送信装置は、複数の入力音声をエンコードしてＴＳ形式に変換する音声エンコーダと、複数の入力映像をエンコードしてＴＳ形式に変換する映像エンコーダと、複数の入力データ放送をＤＳＭＣＣセクションＴＳ形式に変換するデータＴＳコンバータと、音声エンコーダ、映像エンコーダ及びデータＴＳコンバータから出力されるＴＳを多重化しＭＰＥＧ２ＴＳ形式で出力する多重化部と、多重化部から出力されるＭＰＥＧ２ＴＳにＰＳＩ／ＳＩ情報を多重化してＩＳＤＢ−Ｔ／ＴＳ形式に変換する再多重化部と、再多重化部から出力されるＩＳＤＢ−Ｔ／ＴＳをＴＳボードから出力するＴＳ出力部と、ＴＳ出力部から出力されるＩＳＤＢ−Ｔ／ＴＳをＯＦＤＭ変調し送信するＯＦＤＭ変調部と、ＴＳ出力部とＯＦＤＭ変調部の同期を取る同期クロックとを備えて構成される。
【００１７】
特に、データＴＳコンバータは、入力される各データ放送のカルーセルデータのデータサイズを求め、求められた各カルーセルデータのデータサイズの比に応じて最もデータサイズが大きいカルーセルデータ以外のカルーセルデータの送信周期を短くし、最もデータサイズが大きいカルーセルデータに割り込ませて時分割多重化することを特徴としている。
【００１８】
例えばデータＴＳコンバータは、２つの入力データ放送をＤＳＭＣＣセクションＴＳ形式に変換する場合、入力される２つのデータ放送のカルーセルデータのデータサイズを求め、求められた各カルーセルデータのデータサイズの比に応じてデータサイズが小さいカルーセルデータの送信周期を短くして、データサイズが大きいカルーセルデータに割り込ませて時分割多重化する。
【００１９】
データＴＳコンバータは具体的には、入力される各データ放送をＤＩＩ・ＤＤＢ形式に変換するＤＩＩ・ＤＤＢ作成部と、ＤＩＩメッセージに記述された情報に基づいて各データ放送のカルーセルデータのデータサイズを計算するカルーセルデータサイズ計算部と、ＤＩＩメッセージに記述された情報に基づいてカルーセル周期を計算するカルーセル周期計算部と、カルーセルデータサイズ計算部及びカルーセル周期計算部で求められた各カルーセルデータのデータサイズとカルーセル周期に基づいて各データ放送のカルーセルデータの送信周期を変更して送信スケジュールを作成する送信スケジュール作成部と、カルーセル周期を変更した送信スケジュールに基づいて各データ放送のＤＩＩメッセージ及びＤＤＢメッセージを多重化するＤＩＩ・ＤＤＢ多重化部とを備えて構成される。
【発明の効果】
【００２０】
本発明によれば、複数のデータ放送をカルーセル方式で時分割多重化して送信する場合に、各データ放送のカルーセルデータのデータサイズに応じて各データ放送の受信待ち時間を適正化することができる。
【図面の簡単な説明】
【００２１】
【図１】本実施例のデジタル放送送信装置の全体構成を示す図である。
【図２】周波数分割多重方式と時分割多重方式を説明するための図である。
【図３】データＴＳコンバータの構成を示す図である。
【図４】データＴＳコンバータの第１実施例の処理フローを示す図である。
【図５】カルーセル周期計算部により計算されたカルーセル周期の概念を示す図である。
【図６】送信スケジュール作成部の第１実施例の処理フローを示す図である。
【図７】送信スケジュールを作成するのに用いられる倍率・性能曲線を示す図である。
【図８】データサイズが小さいカルーセルデータの送信周期の倍率を２とした場合の（ステップＳ３４３）から（ステップＳ３４５）までの処理の概念を示す図である。
【図９】送信スケジュール作成部により作成された送信スケジュールの一例を示す図である。
【図１０】ＤＩＩ・ＤＤＢ多重化部により多重化されたカルーセル周期を示す図である。
【図１１】送信スケジュール作成部の第２実施例の処理フローを示す図である。
【図１２】送信スケジュール作成部の第３実施例の処理フローを示す図である。
【発明を実施するための形態】
【００２２】
以下、本発明を適用してなるデジタル放送送信装置の実施形態を説明する。なお、以下の説明では、同一機能部品については同一符号を付して重複説明を省略する。また、本実施形態では２つのデータ放送をカルーセル方式で多重化して送信する場合を例に挙げて説明するが、これに限らず複数（例えば３つ）のデータ放送をカルーセル方式で多重化して送信する場合にも本発明を適用することができる。
【実施例１】
【００２３】
本発明が適用されるデジタル放送送信装置の第１実施例について説明する。第１実施例はデータサイズが小さなカルーセルデータに係るデータ放送の受信待ち時間を短縮する例である。
【００２４】
図１は本実施例のデジタル放送送信装置９０の全体構成を示す図である。本実施例のデジタル放送送信装置９０において多重化されるサービスは、それぞれ音声、映像、データからなり、それらの番組情報はＰＳＩ／ＳＩにまとめて記録される。
【００２５】
デジタル放送送信装置９０は、複数の入力音声をエンコードしてＴＳ形式に変換する音声エンコーダ１０と、複数の入力映像をエンコードしてＴＳ形式に変換する映像エンコーダ２０と、複数の入力データ放送をＤＳＭＣＣセクションＴＳ形式に変換するデータＴＳコンバータ３０と、音声エンコーダ１０、映像エンコーダ２０及びデータＴＳコンバータ３０から出力されるＴＳを多重化しＭＰＥＧ２ＴＳ形式で出力する多重化部４０と、多重化部４０から出力されるＭＰＥＧ２ＴＳにＰＳＩ／ＳＩ情報を多重化してＩＳＤＢ−Ｔ／ＴＳ形式に変換する再多重化部５０と、再多重化部５０から出力されるＩＳＤＢ−Ｔ／ＴＳをＴＳボードから出力するＴＳ出力部６０と、ＴＳ出力部６０から出力されるＩＳＤＢ−Ｔ／ＴＳをＯＦＤＭ変調し送信するＯＦＤＭ変調部７０と、ＴＳ出力部６０とＯＦＤＭ変調部７０の同期を取る同期クロック８０とを備えて構成されている。
【００２６】
音声エンコーダ１０は入力された音声を、例えばＡＡＣ(Ａｄｖａｎｃｅｄ  Ａｕｄｉｏ  Ｃｏｄｉｎｇ)フォーマットに符号化し、ＴＳ（トランスポートストリーム）形式に変換して多重化部４０に出力する。
【００２７】
映像エンコーダ２０は入力された映像を、Ｈ.２６４フォーマットに符号化し、ＴＳ形式に変換して多重化部４０に出力する。データＴＳコンバータ３０は入力されたデータを標準規格ＡＲＩＢ
ＳＴＤ-Ｂ２４に規定されたＤＳＭＣＣセクションＴＳ形式に変換し、多重化部４０に出力する。
【００２８】
多重化部４０は音声エンコーダ１０から入力された音声ＴＳと、映像エンコーダ２０から入力された映像ＴＳと、データＴＳコンバータ３０から入力されたＤＳＭＣＣセクションＴＳの多重化を行い、ＭＰＥＧ２ＴＳ形式で再多重化部５０に出力する。
【００２９】
再多重化部５０は多重化部４０から入力されたＭＰＥＧ２ＴＳに、入力されたＰＳＩ／ＳＩを付加し、ＩＳＤＢ−Ｔ／ＴＳ形式に変換してＴＳ出力部６０に出力する。ＴＳ出力部６０は、再多重化部５０から入力されたＩＳＤＢ−Ｔ／ＴＳをＴＳ出力部６０中のＴＳボードからＯＦＤＭ変調部７０に出力する。
【００３０】
ＯＦＤＭ変調部７０はＴＳ出力部６０から入力されたＩＳＤＢ−Ｔ／ＴＳをＯＦＤＭ変調し、放送波として送信する。ＴＳ出力部６０とＯＦＤＭ変調部７０のＴＳ出力に関する同期には同期クロック８０が用いられる。
【００３１】
このように構成されるデジタル放送送信装置９０では、例えばエリア型放送において、あるチャネル(周波数帯)に複数のサービス(番組)を多重して放送する技術が望まれている。複数のサービスのデータ放送をカルーセル方式で伝送する場合、各データ放送のカルーセルデータを多重化する方式として、周波数分割多重方式と時分割多重方式が考えられる。
【００３２】
図２は周波数分割多重方式と時分割多重方式を説明するための図である。図２（ａ）は、周波数帯を分割してサービス１とサービス２のカルーセルデータを多重する場合の模式図である。この場合、１カルーセル周期でサービス１，２のカルーセルデータの受信が可能となる。ところで、カルーセル方式の伝送では帯域を広く利用し、データをまとめて送出したほうが受信端末でデータを表示するまでの待ち時間が少なくてすむことが知られている。そのため、図２（ｂ）に示すような時間分割データ多重方式が考えられる。
【００３３】
しかしながら、図２（ｂ）のような送出方法では，図２（ｂ）に示すようにサービス１，２それぞれのカルーセルデータのデータサイズに極端に偏りがあると、データサイズが小さなサービス２のカルーセルデータはデータサイズが小さいにも関わらず端末に表示されるまでの待ち時間が長くなる。これは、サービス１，２のカルーセルデータが多重化されているため、カルーセルデータのデータサイズが小さいサービス２を視聴しているユーザは、データサイズが大きいサービス１のカルーセルデータを受信している間はサービス２のカルーセルデータを受信できないためである。
【００３４】
そこで、本実施例のデジタル放送送信装置９０は、複数のデータ放送をカルーセル方式で時分割多重化して送信する場合に、各データ放送のカルーセルデータのデータサイズに応じて各データ放送の受信待ち時間を適正化するために、以下の構成を採用している。以下、本実施例の特徴部であるデータＴＳコンバータ３０について詳細に説明する。
【００３５】
図３はデータＴＳコンバータ３０の構成を示す図である。図３に示すように、データＴＳコンバータ３０は、ＤＩＩ・ＤＤＢ作成部３１（ここで、ＤＩＩ：Ｄｏｗｎｌｏａｄ  Ｉｎｆｏ  Ｉｎｄｉｃａｔｉｏｎ、ＤＤＢ：Ｄｏｗｎｌｏａｄ  Ｄａｔａ  Ｂｌｏｃｋ）と、カルーセルデータサイズ計算部３２と、カルーセル周期計算部３３と、送信スケジュール作成部３４と、ＤＩＩ・ＤＤＢ多重化部３５とを備えて構成される。
【００３６】
図４はデータＴＳコンバータ３０の第１実施例の処理フローを示す図である。データＴＳコンバータ３０の各構成要素の機能を順に説明する。ＤＩＩ・ＤＤＢ作成部３１は、（ステップＳ３１）において、図示していないオフラインＴＳファイルあるいは外部ＴＳ入力装置より入力されたデータコンテンツ、データ１、データ２から、標準規格ＡＲＩＢ
ＳＴＤ-Ｂ２４にしたがってそれぞれＤＩＩメッセージ及びＤＤＢメッセージを作成する。ＤＩＩメッセージ及びＤＤＢメッセージは、カルーセルデータサイズ計算部３２、カルーセル周期計算部３３、及びＤＩＩ・ＤＤＢ多重化部３５へ出力される。
【００３７】
カルーセルデータサイズ計算部３２は、（ステップＳ３２）において、ＤＩＩ・ＤＤＢ作成部３１より入力されたＤＩＩメッセージに含まれるメッセージ長及びブロック長の合計から、データ１、データ２のカルーセルデータサイズを計算する。計算されたカルーセルデータサイズは、送信スケジュール作成部３４へ出力される。
【００３８】
カルーセル周期計算部３３は、（ステップＳ３３）において、ＤＩＩ・ＤＤＢ作成部３１より入力されたＤＩＩメッセージに含まれるメッセージ長及びブロック長、ビットレートを用いて、カルーセル周期を計算する。計算されたカルーセル周期は送信スケジュール作成部３４へ出力される。
【００３９】
送信スケジュール作成部３４は、（ステップＳ３４）において、カルーセルデータサイズ計算部３２より入力されたカルーセルデータサイズと、カルーセル周期計算部３３より入力されたカルーセル周期を用いて、後述する手段を用いて送信スケジュールを作成する。作成された送信スケジュールは、ＤＩＩ・ＤＤＢ多重化部３５へ出力される。
【００４０】
ＤＩＩ・ＤＤＢ多重化部３５は、（ステップＳ３５）において、送信スケジュール作成部３４より入力された送信スケジュールを解釈し、この送信スケジュールに記された順番に従いＤＩＩ及びＤＤＢメッセージをＤＳＭＣＣセクションＴＳ形式で多重化する。多重化されたＴＳは多重化部４０に出力される。
【００４１】
図５はカルーセル周期計算部３３により計算されたカルーセル周期の概念を示す図である。カルーセル周期はデータ１のカルーセル３３１と、データ２のカルーセル３３２からなる。カルーセル３３１及び３３２は、それぞれ幾つかのセクション（セクション３３３及び３３４）を含んで構成される。セクション３３３及び３３４はそれぞれセクション毎に送信時間を持つ（送信時間３３５，３３６）。
【００４２】
図６は送信スケジュール作成部３４の第２実施例の処理フローを示す図である。（ステップＳ３４１）において、（ステップＳ３２）でカルーセルデータサイズ計算部３２より得られた各カルーセルデータのデータサイズを用いて、データサイズが小さなデータ放送のカルーセルデータの送信周期の倍率を決定する(例えば：送信周期の倍率を２倍にする。言い換えれば送信周期を１／２に短くする)。
【００４３】
ここで、データサイズが小さなサービスのデータ放送のカルーセルデータの送信周期の倍率は図７に示す倍率・性能曲線を用いて決定される。図７に示すように、倍率・性能曲線は、横軸に送信周期の倍率を取り、縦軸に受信待ち受け時間の比を取るものである。図７の曲線７１に示すようにデータサイズが小さなカルーセルデータの送信周期の倍率を高くするにしたがってデータサイズが小さなカルーセルデータの受信待ち受け時間は短くなる。一方、曲線７２に示すようにデータサイズが大きなカルーセルデータの受信待ち受け時間は長くなる。倍率・性能曲線は、データサイズが小さなカルーセルデータの送信周期の倍率が両カルーセルデータのデータサイズの比となる点で、データサイズが小さなサービスと大きなサービスの曲線７１，７２が交差するように描く。通常は、データサイズが小さなサービスの受信時間の短縮と、データサイズが大きなサービスの受信時間の増大を考慮し、送信周期の倍率をカルーセルデータサイズの比よりも少し小さな整数とする。
【００４４】
続いて、（ステップＳ３４２）において、現在時刻から、送信スケジュールを開始する時刻を、次のカルーセル周期の開始時刻とする。（ステップＳ３４３）において、カルーセル周期計算部３３により（ステップＳ３３）で得られたカルーセル周期と（ステップＳ３４１）で得られた送信周期の倍率から、データサイズが小さなサービスの割り込み完了時刻を、カルーセル周期を送信周期の倍率で等分した時刻とする。
【００４５】
（ステップＳ３４４）において、該割り込み完了時刻から、カルーセル周期計算部３３により（ステップＳ３３）で得られたデータサイズが小さなカルーセルデータの送信時間だけ遡った時刻に、データサイズが小さなカルーセルデータの割り込み開始時刻を設定する。
【００４６】
（ステップＳ３４５）において、カルーセル周期計算部３３により（ステップＳ３３）で得られたデータサイズが大きなカルーセルデータのカルーセル周期から、割り込み開始時刻を、この時刻に最も近いデータサイズが大きなカルーセルデータのセクション送信の切れ目の時刻に修正する。これにより、データサイズが小さなカルーセルデータの割込みをデータサイズが大きなカルーセルデータのセクションとセクションの間にすることができ、データサイズが大きなカルーセルデータの受信時間の増大を抑える事ができる。
【００４７】
図８はデータサイズが小さいカルーセルデータの送信周期の倍率を２とした場合の（ステップＳ３４３）から（ステップＳ３４５）までの処理の概念を示す図である。カルーセル周期３４００を送信周期の倍率で分割し、（ステップＳ３４３）で得られる割り込み完了時刻が割り込み完了時刻３４３０である。データサイズが小さなカルーセルデータの送信時間だけ遡り、（ステップＳ３４４）で得られる割り込み開始時刻が割り込み開始時刻３４４０である。データサイズが大きなカルーセルデータのセクションの間に修正し、（ステップＳ３４５）で得られる修正後の割り込み完了時刻が修正後割り込み開始時刻３４５０である。この例では、割り込み開始時刻３４４０に最も近い時刻として、割り込み開始時刻３４４０と重なるセクションの送信終了時刻を修正後割り込み開始時刻３４５０としている。
【００４８】
（ステップＳ３４６）において、該修正後割り込み開始時刻と、カルーセル周期計算部３３により（ステップＳ３３）で得られたカルーセル周期を用いて図９に示す送信スケジュールを作成する。
【００４９】
図９は送信スケジュール作成部３４により作成された送信スケジュールの一例を示す図である。送信スケジュールはＸＭＬ形式で記述される。ＸＭＬのタグには、例えば送信スケジュールのバージョン３４１、作成時間３４２、送信スケジュール開始時間３４３、プログラムＩＤ３４４、セクション数３４５、セクション送信開始時間３４６が記述される。
【００５０】
図１０はＤＩＩ・ＤＤＢ多重化部３５により多重化されたカルーセル周期を示す図である。カルーセル周期はデータ１のカルーセル３５１と、データ２のカルーセル３５２からなる。カルーセル３５１及び３５２は、それぞれ幾つかのセクション（セクション３５３及び３５４）を含んで構成される。セクション３５３及び３５４はそれぞれセクション毎に送信時間を持つ（送信時間３５５，３５６）。図５との違いは、送信時間３５７にデータサイズが小さいカルーセルデータの割込みが生じている点である。
【００５１】
本実施例によれば、データＴＳコンバータ３０がカルーセルデータの送信周期を変更する機能を有しており、カルーセルデータのデータサイズに偏りがある場合には、データサイズが小さなカルーセルデータの送信周期を短くしてデータサイズが大きいカルーセルデータに割り込ませることができる。そのため、データサイズが小さいカルーセルデータの受信待ち受け時間が短縮されるので、データサイズの偏りに応じて受信待ち受け時間を適正化することができる。また、データサイズが小さなサービスをユーザにすばやく提供することと、データサイズが大きな情報を提供することの両立が可能となる。
【００５２】
なお、例えば３つのデータ放送のカルーセルデータを時分割多重する場合には、各データ放送のカルーセルデータのデータサイズをそれぞれ求め、求められた各カルーセルデータのデータサイズの比に応じて最もデータサイズが大きいカルーセルデータ以外のカルーセルデータの送信周期を短くし、最もデータサイズが大きいカルーセルデータに割り込ませることができる。例えば最もデータサイズが大きいカルーセルデータとそれ以外の各カルーセルデータとのデータサイズの比をそれぞれ求めて、第１実施例と同様に最もデータサイズが大きいカルーセルデータにそれ以外の各カルーセルデータを割り込ませることができる。
【実施例２】
【００５３】
以下、本発明が適用されてなるデジタル放送送信装置の第２実施例について説明する。本実施例は複数のデータ放送にあらかじめ設定された緊急フラグの状態に応じて、各データ放送のカルーセルデータの送信周期を修正する点が第１実施例と異なる。より具体的には、本実施例は図４に示したデータＴＳコンバータ３０の処理フローも基本的に同様であり、（ステップＳ３４）で送信スケジュールを作成する際に、標準規格ＡＲＩＢ
ＳＴＤ-Ｂ１０に規定された緊急フラグを用いる点が異なる。したがって、その他第１実施例と同様の部分の説明は省略する。
【００５４】
図１１は送信スケジュール作成部３４の第２実施例の処理フローを示す図である。（ステップＳ３４１）において、第１実施例と同様に、（ステップＳ３２）でカルーセルデータサイズ計算部３２より得られたカルーセルデータサイズを用いて、データサイズが小さなカルーセルデータの送信周期の倍率を決定する。
【００５５】
（ステップＳ３４７）において、図７に示された倍率・性能曲線を用いて、緊急フラグがオンであるサービスのカルーセルデータを優先し、データサイズが小さなサービスのカルーセルデータの送信周期の倍率を修正する。その後は第１実施例と同様に（ステップＳ３４２）から（ステップＳ３４６）において、（ステップＳ３４７）で修正された送信周期の倍率を用いて、送信スケジュールを作成する。
【００５６】
カルーセルデータの送信周期の修正は、緊急フラグがオンであるデータ放送のカルーセルデータの送信周期は変更せず緊急フラグがオフであるデータ放送のカルーセルデータの送信周期を長くすることにより行なうことができる。また逆に、緊急フラグがオフであるデータ放送のカルーセルデータの送信周期は変更せず緊急フラグがオンであるデータ放送のカルーセルデータの送信周期を短くすることにより行なうこともできる。
【００５７】
本実施例によれば、カルーセルデータのデータサイズに応じて各データ放送の受信待ち時間を適正化するとともに、緊急度の高い情報についてはすばやくユーザに提供することができる。
【実施例３】
【００５８】
以下、本発明が適用されてなるデジタル放送送信装置の第３実施例について説明する。本実施例は各データ放送にあらかじめ設定された優先度に応じて、各データ放送のカルーセルデータの送信周期を修正する点が第１実施例と異なる。より具体的には、本実施例は図４に示したデータＴＳコンバータ３０の処理フローも基本的に同様であり、（ステップＳ３４）で送信スケジュールを作成する際に、あらかじめ設定されたデータ放送の優先度を用いる点が異なる。したがって、その他第１実施例と同様の部分の説明は省略する。
【００５９】
図１２は送信スケジュール作成部３４の第３実施例の処理フローを示す図である。（ステップＳ３４１）において、第１実施例と同様に、（ステップＳ３２）でカルーセルデータサイズ計算部３２より得られたカルーセルデータサイズを用いて、データサイズが小さなカルーセルデータの送信周期の倍率を決定する。
【００６０】
（ステップＳ３４８）において、図７に示された倍率・性能曲線を用いて、あらかじめ設定された優先度の高いサービスのカルーセルデータを優先し、データサイズが小さなサービスのカルーセルデータの送信周期の倍率を修正する。その後は第１実施例と同様に（ステップＳ３４２）から（ステップＳ３４６）において、（ステップＳ３４７）で修正された送信周期の倍率を用いて、送信スケジュールを作成する。
【００６１】
カルーセルデータの送信周期の修正は、優先度の高いデータ放送のカルーセルデータの送信周期は変更せず優先度の低いデータ放送のカルーセルデータの送信周期を長くすることにより行なうことができる。また逆に、優先度の低いデータ放送のカルーセルデータの送信周期は変更せず優先度の高いデータ放送のカルーセルデータの送信周期を短くすることにより行なうこともできる。
【００６２】
本実施例によれば、カルーセルデータのデータサイズに応じて各データ放送の受信待ち時間を適正化するとともに、優先度の高い情報についてはすばやくユーザに提供することができる。
【符号の説明】
【００６３】
１０  音声エンコーダ
２０  映像エンコーダ
３０  データＴＳコンバータ
３１  ＤＩＩ・ＤＤＢ作成部
３２  カルーセルデータサイズ計算部
３３  カルーセル周期計算部
３４  送信スケジュール作成部
３５  ＤＩＩ・ＤＤＢ多重化部
４０  多重化部
５０  再多重化部
６０  ＴＳ出力部
７０  ＯＦＤＭ変調部
８０  同期クロック
９０  デジタル放送送信装置
【図１】
2011010097.tif 000003
【図２】
2011010097.tif 000004
【図３】
2011010097.tif 000005
【図４】
2011010097.tif 000006
【図５】
2011010097.tif 000007
【図６】
2011010097.tif 000008
【図７】
2011010097.tif 000009
【図８】
2011010097.tif 000010
【図９】
2011010097.tif 000011
【図１０】
2011010097.tif 000012
【図１１】
2011010097.tif 000013
【図１２】
2011010097.tif 000014